(57)【要約】      （修正有）【課題】異常が発生した場合においても、復水器における温水の水位の上昇を抑制できる冷却塔を提供する。【解決手段】冷却水が流出する出口７Ｍと、出口に対して移動可能に設けられ、出口からの冷却水の流出を制限可能な制限部材２１と、を備えた冷却塔７により、その後段に位置する復水器６への冷却水の供給量を制限する。復水器で生成された温水を冷却塔に送るためのポンプ１３が異常であると判断したとき、冷却塔出口からの冷却水の流出が制限される。【選択図】図２
2015108476.tif 000002
【特許請求の範囲】
【請求項１】
冷却水が流出する出口と、
前記出口に対して移動可能に設けられ、前記出口からの前記冷却水の流出を制限可能な制限部材と、を備える冷却塔。
【請求項２】
前記制限部材は、前記出口を開閉する請求項１に記載の冷却塔。
【請求項３】
少なくとも一部が前記出口に面するように配置され、前記冷却水が流通可能な第１開口を有する第１部材と、
前記第１部材に対して移動可能に設けられ、前記第１開口を開閉する第２部材と、を備え、
前記制限部材は、前記第２部材を含む請求項１に記載の冷却塔。
【請求項４】
前記第１部材は、前記第１開口の周囲に配置される第１面を有し、
前記第２部材は、前記冷却水が流通可能な第２開口と、前記第２開口の周囲に配置される第２面と、を有し、
前記第２部材は、前記第２開口が前記第１開口と一致する第１状態、及び前記第２開口が前記第１面と対向し、前記第２面が前記第１開口と対向する第２状態の一方から他方に変化するように移動する請求項３に記載の冷却塔。
【請求項５】
前記第２部材を上下方向に移動する移動装置を備え、
前記第２部材が下降することによって、前記第１状態から前記第２状態に変化する請求項４に記載の冷却塔。
【請求項６】
前記第１部材の上端部が前記冷却水の水面よりも低い位置に配置され、
前記出口と前記第１部材との間において、前記出口よりも上方で前記冷却水の水面よりも低い位置に配置される第３部材を備える請求項１から請求項５のいずれか一項に記載の冷却塔。
【請求項７】
請求項１から請求項６のいずれか一項に記載の冷却塔と、
前記冷却塔の出口と接続される第１配管と、
前記第１配管を介して前記冷却塔から供給された冷却水と、タービンから供給された蒸気との熱交換を行う復水器と、
前記復水器と前記冷却塔とを接続する第２配管と、
前記第２配管に配置され、前記復水器で生成された温水を前記冷却塔に送るためのポンプと、
前記冷却塔から前記復水器に供給される前記冷却水の供給量を調整可能な調整装置と、
前記ポンプが異常であると判断したとき、前記出口からの前記冷却水の流出が制限されるように前記制限部材を制御する制御装置と、を備える地熱発電システム。
【請求項８】
冷却塔と、
前記冷却塔の出口と接続される第１配管と、
前記第１配管を介して前記冷却塔から供給された冷却水と、タービンから供給された蒸気との熱交換を行う復水器と、
前記復水器と前記冷却塔とを接続する第２配管と、
前記第２配管に配置され、前記復水器で生成された温水を前記冷却塔に送るためのポンプと、
前記冷却塔から前記復水器に供給される前記冷却水の供給量を調整可能な調整装置と、
前記ポンプが異常であると判断したとき、前記冷却塔から前記復水器に前記冷却水が供給されないように、前記調整装置を制御する制御装置と、を備える地熱発電システム。
【請求項９】
前記ポンプの異常を検出する検出装置を備え、
前記制御装置は、前記検出装置の検出結果に基づいて、前記ポンプが異常であるか否かを判断する請求項８に記載の地熱発電システム。
【請求項１０】
前記復水器の内部空間が大気圧よりも低い圧力に調整された状態で、前記内部空間において前記冷却水と前記蒸気とが熱交換され、
前記復水器は、前記内部空間と外部の大気圧空間とを結ぶ流路と、前記流路を開閉可能な弁と、を有し、
前記制御装置は、前記ポンプが異常であると判断したとき、前記内部空間が開放されるように、前記弁を制御する請求項９に記載の地熱発電システム。
【発明の詳細な説明】
【技術分野】
【０００１】
本発明は、冷却塔、及び地熱発電システムに関する。
【背景技術】
【０００２】
地熱発電システムの方式として、蒸気発電方式とバイナリー発電方式とが知られている。蒸気発電方式は、生産井から得られた蒸気を直接的にタービンに供給して発電する方式である。バイナリー発電方式は、生産井から得られた熱水又は蒸気と低沸点の媒体とを熱交換器で熱交換して媒体の蒸気を生成し、その蒸気をタービンに供給して発電する方式である。
【０００３】
蒸気発電方式の地熱発電システムは、冷却水を用いてタービンで仕事をした蒸気を凝縮して温水（凝縮水）にする復水器と、空気などを用いて復水器から供給された温水を冷却水にする冷却塔とを備えている。地熱発電システムにおいては、復水器として直接接触式復水器が用いられる場合が多い。直接接触式復水器は、冷却塔からの冷却水とタービンからの蒸気とを直接接触させて温水を生成する。直接接触式復水器及び冷却塔を備えた地熱発電プラントの一例が特許文献１に開示されている。
【先行技術文献】
【特許文献】
【０００４】
【特許文献１】特開平１１−０３０４８８号公報
【発明の概要】
【発明が解決しようとする課題】
【０００５】
蒸気発電方式の地熱発電システムにおいては、復水器及び冷却塔を含む循環系において水が循環する。具体的には、復水器の温水の少なくとも一部が冷却塔に供給され、冷却塔の冷却水の少なくとも一部が復水器に供給される。冷却塔から復水器に供給される冷却水の量と、復水器から流出する温水の量とのバランスがくずれるような異常が発生し、例えば、復水器の温水の量が増大すると、復水器における温水の水位が上昇する可能性がある。その結果、復水器の周囲の機器に影響を及ぼす可能性がある。
【０００６】
本発明は、異常が発生した場合においても、復水器における温水の水位の上昇を抑制できる冷却塔、及び地熱発電システムを提供することを目的とする。
【課題を解決するための手段】
【０００７】
本発明は、冷却水が流出する出口と、前記出口に対して移動可能に設けられ、前記出口からの前記冷却水の流出を制限可能な制限部材と、を備える冷却塔を提供する。
【０００８】
本発明によれば、出口からの冷却水の流出を制限可能な制限部材を設けたので、異常が発生した場合、冷却水の流出を制限することによって、復水器に供給される冷却水の量を制限することができる。そのため、復水器における温水の水位の上昇を抑制することができる。
【０００９】
本発明に係る冷却塔において、前記制限部材は、前記出口を開閉してもよい。これにより、異常が発生した場合、制限部材で出口を閉じることによって、復水器に対する冷却水の供給を停止することができる。
【００１０】
本発明に係る冷却塔において、少なくとも一部が前記出口に面するように配置され、前記冷却水が流通可能な第１開口を有する第１部材と、前記第１部材に対して移動可能に設けられ、前記第１開口を開閉する第２部材と、を備え、前記制限部材は、前記第２部材を含んでもよい。これにより、第１部材に対して第２部材を移動するだけで、出口からの冷却水の流出を制限することができる。
【００１１】
本発明に係る冷却塔において、前記第１部材は、前記第１開口の周囲に配置される第１面を有し、前記第２部材は、前記冷却水が流通可能な第２開口と、前記第２開口の周囲に配置される第２面と、を有し、前記第２部材は、前記第２開口が前記第１開口と一致する第１状態、及び前記第２開口が前記第１面と対向し、前記第２面が前記第１開口と対向する第２状態の一方から他方に変化するように移動してもよい。これにより、第２部材は、小さい移動量で、出口からの冷却水の流出を制限することができる。
【００１２】
本発明に係る冷却塔において、前記第２部材を上下方向に移動する移動装置を備え、前記第２部材が下降することによって、前記第１状態から前記第２状態に変化してもよい。これにより、異常が発生したとき、迅速に第１状態から第２状態に変化させることができる。すなわち、第２部材が大型の部材でも、重力作用を利用して、第２部材で第１開口を迅速に閉じることができる。
【００１３】
本発明に係る冷却塔において、前記第１部材の上端部が前記冷却水の水面よりも低い位置に配置され、前記出口と前記第１部材との間において、前記出口よりも上方で前記冷却水の水面よりも低い位置に配置される第３部材を備えてもよい。これにより、第１部材と第３部材とによって、出口が面する空間は、実質的に閉空間となる。そのため、第２部材で第１開口を閉じてから、閉空間の冷却水が出口から全て流出するまでの時間を短縮することができる。
【００１４】
本発明は、上記の冷却塔と、前記冷却塔の出口と接続される第１配管と、前記第１配管を介して前記冷却塔から供給された冷却水と、タービンから供給された蒸気との熱交換を行う復水器と、前記復水器と前記冷却塔とを接続する第２配管と、前記第２配管に配置され、前記復水器で生成された温水を前記冷却塔に送るためのポンプと、前記冷却塔から前記復水器に供給される前記冷却水の供給量を調整可能な調整装置と、前記ポンプが異常であると判断したとき、前記出口からの前記冷却水の流出が制限されるように前記制限部材を制御する制御装置と、を備える地熱発電システムを提供する。
【００１５】
本発明によれば、冷却塔から排出された冷却水は、第１配管を介して復水器に供給され、復水器から排出された温水は、ポンプの作用により、第２配管を介して冷却塔に供給される。また、調整装置により、冷却塔から復水器に供給される冷却水の供給量を調整することができる。出口からの冷却水の流出を制限可能な制限部材を設けたので、ポンプに異常が発生して、復水器から冷却塔に温水が供給されない事態が発生した場合、制限部材を使って冷却水の流出を制限することによって、復水器に供給される冷却水の量を制限することができる。そのため、復水器における温水の水位の上昇を抑制することができる。
【００１６】
本発明は、冷却塔と、前記冷却塔の出口と接続される第１配管と、前記第１配管を介して前記冷却塔から供給された冷却水と、タービンから供給された蒸気との熱交換を行う復水器と、前記復水器と前記冷却塔とを接続する第２配管と、前記第２配管に配置され、前記復水器で生成された温水を前記冷却塔に送るためのポンプと、前記冷却塔から前記復水器に供給される前記冷却水の供給量を調整可能な調整装置と、前記ポンプが異常であると判断したとき、前記冷却塔から前記復水器に前記冷却水が供給されないように、前記調整装置を制御する制御装置と、を備える地熱発電システムを提供する。
【００１７】
本発明によれば、冷却塔から排出された冷却水は、第１配管を介して復水器に供給され、復水器から排出された温水は、ポンプの作用により、第２配管を介して冷却塔に供給される。冷却塔から復水器に供給される冷却水の供給量を調整可能な調整装置が設けられているため、ポンプに異常が発生して、復水器から冷却塔に温水が供給されない事態が発生した場合、調整装置により、冷却塔から復水器に供給される冷却水の量を制限することができる。そのため、復水器における温水の水位の上昇を抑制することができる。
【００１８】
本発明に係る地熱発電システムにおいて、前記ポンプの異常を検出する検出装置を備え、前記制御装置は、前記検出装置の検出結果に基づいて、前記ポンプが異常であるか否かを判断してもよい。これにより、ポンプに異常が生じたか否かを適切に判断できる。
【００１９】
本発明に係る地熱発電システムにおいて、前記復水器の内部空間が大気圧よりも低い圧力に調整された状態で、前記内部空間において前記冷却水と前記蒸気とが熱交換され、前記復水器は、前記内部空間と外部の大気圧空間とを結ぶ流路と、前記流路を開閉可能な弁と、を有し、前記制御装置は、前記ポンプが異常であると判断したとき、前記内部空間が開放されるように、前記弁を制御してもよい。これにより、復水器と冷却器との圧力差を利用して第１配管を介して冷却塔から復水器に冷却水を供給する場合において、ポンプに異常が発生したとき、内部空間を開放して復水器の圧力を高めることにより、冷却塔から復水器に冷却水が供給されることを抑制できる。
【発明の効果】
【００２０】
本発明によれば、異常が発生した場合においても、復水器における温水の水位の上昇を抑制できる。
【図面の簡単な説明】
【００２１】
【図１】図１は、第１実施形態に係る地熱発電システムの一例を示す概略構成図である。
【図２】図２は、第１実施形態に係る地熱発電システムの一部を示す模式図である。
【図３】図３は、第１実施形態に係る調整装置の動作の一例を示す模式図である。
【図４】図４は、第１実施形態に係る調整装置の動作の一例を示す模式図である。
【図５】図５は、第２実施形態に係る調整装置の一例を示す模式図である。
【図６】図６は、第２実施形態に係る第１部材及び第２部材の一例を示す斜視図である。
【図７】図７は、第２実施形態に係る調整装置の動作の一例を示す模式図である。
【図８】図８は、第２実施形態に係る第１部材及び第２部材の動作の一例を示す斜視図である。
【図９】図９は、第３実施形態に係る調整装置の一例を示す模式図である。
【図１０】図１０は、第３実施形態に係る第１部材及び第２部材の一例を示す斜視図である。
【図１１】図１１は、第３実施形態に係る調整装置の動作の一例を示す模式図である。
【図１２】図１２は、第３実施形態に係る第１部材及び第２部材の動作の一例を示す斜視図である。
【図１３】図１３は、第４実施形態に係る調整装置の一例を示す模式図である。
【図１４】図１４は、第４実施形態に係る調整装置の動作の一例を示す模式図である。
【図１５】図１５は、第５実施形態に係る調整装置の一例を示す模式図である。
【図１６】図１６は、第５実施形態に係る調整装置の動作の一例を示す模式図である。
【図１７】図１７は、第６実施形態に係る地熱発電システムの一部を示す模式図である。
【図１８】図１８は、第７実施形態に係る地熱発電システムの一部を示す模式図である。
【発明を実施するための形態】
【００２２】
以下、本発明に係る実施形態について図面を参照しながら説明するが、本発明はこれに限定されない。以下で説明する各実施形態の要件は、適宜組み合わせることができる。また、一部の構成要素を用いない場合もある。
【００２３】
＜第１実施形態＞
第１実施形態について説明する。図１は、本実施形態に係る地熱発電システム１の一例を示す概略構成図である。本実施形態に係る地熱発電システム１は、生産井２から得られた蒸気Ｇを直接的にタービン（蒸気タービン）３に供給して発電する蒸気発電方式の地熱発電システムである。また、本実施形態に係る地熱発電システム１は、生産井２から得られた気液二相の地熱流体から蒸気Ｇを抽出して、その抽出された蒸気Ｇをタービン３に供給するシングルフラッシュ方式の地熱発電システムである。
【００２４】
図１に示すように、地熱発電システム１は、生産井２から得られた気液二相の地熱流体ＧＷから蒸気Ｇを抽出する気水分離器４と、汽水分離器４で抽出された蒸気Ｇが供給されるタービン３と、タービン３の駆動により作動して発電する発電機５と、タービン３で仕事をした蒸気Ｇを凝縮して温水（凝縮水）ＨＷを生成する復水器６と、復水器６から供給された温水ＨＷを冷却して、その温水ＨＷから冷却水ＣＷを生成する冷却塔７とを備えている。
【００２５】
生産井２は、地中深くの地熱貯留層にある地熱流体ＧＷを地表に導いて噴出させるための井戸である。地熱貯留層には高温高圧の熱水が存在する。地表から掘削して地熱貯留層に穴を開けると、地熱貯留層の熱水が地表に向かって急激に上昇する。その上昇により熱水の圧力が低下し、熱水の一部が沸騰して蒸気になる。これにより、地表において、熱水（液体）と蒸気（気体）とが混合された気液二相の地熱流体ＧＷが採取される。
【００２６】
気水分離器４は、生産井２から得られた地熱流体ＧＷを熱水と蒸気Ｇとに分離する。すなわち、気水分離器４は、気液二相の地熱流体ＧＷから熱水及び蒸気Ｇのそれぞれを抽出する。生産井２と気水分離器４との間の配管には消音器８が設けられる。気水分離器４において分離された蒸気Ｇは、タービン３に供給される。気水分離器４において分離された熱水は、還元井９に供給される。
【００２７】
還元井９は、気水分離器４で抽出された熱水、及び冷却塔７の冷却水ＣＷの一部を地中深くに還元する井戸である。これにより、地熱貯留層の枯渇が抑制される。また、熱水中に含まれる有毒成分が地上へ排出されることが抑制される。
【００２８】
タービン３は、気水分離器４からの蒸気Ｇにより作動する。なお、気水分離器４とタービン３との間にミストセパレータが設けられ、そのミストセパレータにおいて、蒸気Ｇ中のミスト（液体）が除去されてもよい。すなわち、気水分離器４で熱水と蒸気Ｇとが十分に分離されず、蒸気Ｇに液体成分が含まれている場合、その液体成分をミストセパレータで除去してもよい。タービン３は、蒸気Ｇを吹き出すタービンノズルと、そのタービンノズルから吹き出された高圧の蒸気Ｇで回転するタービン翼とを有する。供給された蒸気Ｇによりタービン３が駆動することによって、発電機５が作動し、発電する。
【００２９】
復水器６は、タービン３で仕事をした蒸気Ｇを、冷却水ＣＷを用いて凝縮して温水ＨＷにする。復水器６に、冷却塔７からの冷却水ＣＷとタービン３からの蒸気Ｇとのそれぞれが供給される。復水器６は、冷却塔７からの冷却水ＣＷとタービン３からの蒸気Ｇとの熱交換を行って、蒸気Ｇを温水ＨＷにする。本実施形態において、復水器６は、冷却塔７からの冷却水ＣＷとタービン３からの蒸気Ｇとを直接接触させて温水ＨＷを生成する直接接触式復水器である。
【００３０】
復水器６の内部空間６Ｓに散水塔１０が設けられる。冷却塔７から復水器６に供給された冷却水ＣＷは、散水塔１０から散布される。タービン３は、復水器６に隣接する。タービン３で仕事をした蒸気Ｇは、復水器６の内部空間６Ｓに供給され、散水塔１０から散布された冷却水ＣＷと接触する。これにより、蒸気Ｇが凝縮され、温水ＨＷが生成される。本実施形態において、復水器６の内部空間６Ｓの温水ＨＷは、蒸気Ｇの凝縮水、及び散水塔１０から散布された冷却水ＣＷを含む。
【００３１】
冷却塔７は、復水器６で生成された温水ＨＷを冷却して冷却水ＣＷにする。冷却塔７は、例えば、空気を用いて、温水ＨＷを冷却して冷却水ＣＷを生成する。冷却塔７は、内部空間７Ｓを有する。復水器６から供給された温水ＨＷは、冷却塔７の内部空間７Ｓの上部から散布される。散布された温水ＨＷは、空気と接触することにより冷却される。冷却塔７の屋上にはファン１４が設置される。冷却の過程で発生した水蒸気などのガスは、ファン１４により大気中に上方拡散される。
【００３２】
本実施形態において、地熱発電システム１は、冷却塔７と復水器６とを接続し、冷却塔７から流出した冷却水ＣＷが流れる第１配管１１と、復水器６と冷却塔７とを接続し、復水器６から流出した温水ＨＷが流れる第２配管１２とを有する。冷却塔７の冷却水ＣＷの少なくとも一部は、第１配管１１を介して、復水器６に供給される。復水器６の温水ＨＷの少なくとも一部は、第２配管１２を介して、冷却塔７に供給される。本実施形態において、冷却塔７の冷却水ＣＷの一部は、還元井９に供給されたり、河川等に排出されたりする。
【００３３】
本実施形態において、第２配管１２に、ホットウェルポンプ１３が設けられる。ホットウェルポンプ１３は、復水器６で生成された温水ＨＷを冷却塔７に送るために作動する。
【００３４】
本実施形態において、復水器６の内部空間６Ｓの圧力は、冷却塔７の内部空間７Ｓの圧力よりも低い。本実施形態において、冷却塔７の内部空間７Ｓの圧力は、大気圧であり、復水器６の内部空間６Ｓの圧力は、大気圧よりも低い。本実施形態において、復水器６の内部空間６Ｓは、真空状態に調整される。復水器６の内部空間６Ｓが大気圧よりも低い圧力に調整された状態で、その復水器６の内部空間６Ｓにおいて、冷却水ＣＷと蒸気Ｇとが熱交換される。
【００３５】
復水器６の外部空間は、大気空間（大気圧空間）である。復水器６は、復水器６の内部空間６Ｓと外部空間（大気圧空間）とを結ぶ流路を有する配管１５と、配管１５の流路を開閉可能な弁（真空破壊弁）１６とを有する。弁１６により配管１５の流路が閉じられているとき、復水器６の内部空間６Ｓは真空状態に維持される。弁１６により配管１５の流路が開けられたとき、復水器６の内部空間６Ｓと外部空間とが接続され、復水器６の内部空間６Ｓは開放（大気開放）される。
【００３６】
図２は、本実施形態に係る地熱発電システム１の一部を示す模式図である。図２に示すように、復水器６は、温水ＨＷが生成される内部空間６Ｓと、内部空間６Ｓの温水ＨＷが流出する出口６Ｍとを有する。冷却塔７は、冷却水ＣＷが生成される内部空間７Ｓと、内部空間７Ｓの冷却水ＣＷが流出する出口７Ｍとを有する。
【００３７】
第１配管１１及び第２配管１２のそれぞれは、復水器６と冷却塔７とを接続する。第１配管１１は、冷却塔７の出口７Ｍと接続される。出口７Ｍから流出した冷却水ＣＷは、第１配管１１を介して、復水器６に供給される。第２配管１２は、復水器６の出口６Ｍと接続される。出口６Ｍから流出した温水ＨＷは、第２配管１２を介して、冷却塔７に供給される。
【００３８】
冷却塔７は、第２配管１２を介して復水器６から供給された温水ＨＷを冷却して、冷却水ＣＷを生成する。復水器６は、第１配管１１を介して冷却塔７から供給された冷却水ＣＷと、タービン３から供給された蒸気Ｇとの熱交換を行って、温水ＨＷを生成する。復水器６は、散水塔１０から散布した冷却水ＣＷと、タービン３からの蒸気Ｇとを直接接触させて、温水ＨＷを生成する。冷却塔７、第１配管１１、復水器６、及び第２配管１２により、水（温水ＨＷ及び冷却水ＣＷ）の循環系が形成される。
【００３９】
冷却塔７の内部空間７Ｓの圧力は、大気圧であり、復水器６の内部空間６Ｓは、真空状態に調整される。内部空間７Ｓと内部空間６Ｓとの圧力差により、冷却塔７の内部空間７Ｓの冷却水ＣＷが、第１配管１１を介して、復水器６の内部空間６Ｓに供給される。
【００４０】
復水器６の内部空間６Ｓの温水ＨＷは、第２配管１２に配置されたホットウェルポンプ１３の作動により、第２配管１２を介して、冷却塔７の内部空間７Ｓに供給される。
【００４１】
本実施形態において、地熱発電システム１は、冷却塔７から復水器６に供給される冷却水ＣＷの供給量を調整可能な調整装置２０と、調整装置２０、ホットウェルポンプ１３、及び弁１６を制御する制御装置４０とを備えている。本実施形態において、調整装置２０は、冷却塔７の出口７Ｍに対して移動可能に設けられ、出口７Ｍからの冷却水ＣＷの流出を制限可能な制限部材２１を含む。
【００４２】
本実施形態において、調整装置２０は、冷却塔７に設けられる。冷却塔７は、制限部材２１と、制限部材２１を移動可能な移動装置２２とを有する。制限部材２１は、内部空間７Ｓに配置され、その内部空間７Ｓにおいて移動可能である。制限部材２１は、プレート状のシャッタ部材を含み、上下方向に移動（昇降）することによって、出口７Ｍを開閉する。
【００４３】
移動装置２２は、ウインチを含み、制限部材２１に接続されるワイヤ２２１と、ワイヤ２２１を巻き取り可能なアクチュエータを含む巻取装置２２２とを含む。移動装置２２は、制限部材２１を上下方向に移動可能（昇降可能）である。
【００４４】
図３及び図４は、調整装置２０の動作の一例を示す模式図である。図３に示すように、移動装置２２によって制限部材２１が上昇することにより、出口７Ｍが開く。これにより、冷却塔７の内部空間７Ｓの冷却水ＣＷは、出口７Ｍから流出し、第１配管１１を介して、復水器６に供給される。図４に示すように、移動装置２２によって制限部材２１が下降することにより、出口７Ｍが制限部材２１によって閉じられる。これにより、出口７Ｍからの冷却水ＣＷの流出が制限され、冷却塔７から復水器６への冷却水ＣＷの供給が停止する。
【００４５】
本実施形態においては、ホットウェルポンプ１３が正常に作動しているとき、出口７Ｍが開くように、制限部材２１の位置が調整される。また、本実施形態においては、ホットウェルポンプ１３が正常に作動しているとき、復水器６の内部空間６Ｓが大気圧（冷却塔７の内部空間７Ｓの圧力）よりも低い圧力（本実施形態においては真空状態）に調整された状態で、配管１５の流路が弁１６で閉じられる。これにより、冷却塔７の冷却水ＣＷは、復水器６の内部空間６Ｓと冷却塔７の内部空間７Ｓとの圧力差により、第１配管１１を介して、復水器６に供給されるとともに、復水器６の温水ＨＷは、ホットウェルポンプ１３の作動により、第２配管１２を介して、冷却塔７に供給される。内部空間６Ｓが大気圧よりも低い圧力に調整された状態で、その内部空間６Ｓにおいて、冷却塔７からの冷却水ＣＷとタービン３からの蒸気Ｇとが熱交換される。
【００４６】
本実施形態においては、冷却塔７の内部空間７Ｓにおける冷却水ＣＷの水位（水面の位置）が一定に維持され、復水器６の内部空間６Ｓにおける温水ＨＷの水位（水面の位置）が一定に維持されるように、冷却塔７から復水器６に供給される冷却水ＣＷの単位時間当たりの供給量、及び復水器６から冷却塔７に供給される温水ＨＷの単位時間当たりの供給量のそれぞれが調整される。すなわち、制御装置４０は、冷却塔７の内部空間７Ｓにおける冷却水ＣＷの水位、及び復水器６の内部空間６Ｓにおける温水ＨＷの水位のそれぞれが一定に維持されるように、ホットウェルポンプ１３を制御して、復水器６から冷却塔７に供給される単位時間当たりの温水ＨＷの供給量と、冷却塔７から復水器６に供給される単位時間当たりの冷却水ＣＷの供給量とのバランスを調整する。
【００４７】
本実施形態において、制御装置４０は、ホットウェルポンプ１３が異常であると判断したとき、冷却塔７から復水器６に冷却水ＣＷが供給されないように、調整装置２０を制御する。すなわち、制御装置４０は、ホットウェルポンプ１３が異常であると判断したとき、冷却塔７から復水器６に冷却水ＣＷが供給されないように、制限部材２１を下降して、制限部材２１で出口７Ｍを閉じる。これにより、冷却塔７の内部空間７Ｓからの冷却水ＣＷの流出が停止され、冷却水７から復水器６への冷却水ＣＷの供給が停止される。
【００４８】
また、本実施形態において、制御装置４０は、ホットウェルポンプ１３が異常であると判断したとき、復水器６の内部空間６Ｓが開放（大気開放）されるように、弁１６を制御する。すなわち、制御装置４０は、ホットウェルポンプ１３が異常であると判断したとき、弁１６を制御して、配管１５の流路を開ける。内部空間６Ｓの開放は、内部空間６Ｓの圧力を上昇させて、内部空間６Ｓと内部空間７Ｓとの圧力差を小さくすることを含む。
【００４９】
ホットウェルポンプ１３の異常は、ホットウェルポンプ１３により復水器６の温水ＨＷが冷却塔７に供給されない状態、又は、復水器６から冷却塔７に対する温水ＨＷの供給量が低下した状態を含む。ホットウェルポンプ１３の異常は、ホットウェルポンプ１３の動作不良及び故障の少なくとも一方を含む。また、ホットウェルポンプ１３が電動式の場合、ホットウェルポンプ１３の異常は、ホットウェルポンプ１３に対する電力供給の停止を含む。
【００５０】
ホットウェルポンプ１３が異常となり、復水器６からの温水ＨＷの排出が行われなくなると、復水器６における温水ＨＷの量が増大する。すなわち、本実施形態においては、内部空間６Ｓと内部空間７Ｓとの圧力差を利用して、冷却塔７から復水器６への冷却水ＣＷの供給が行われており、ホットウェルポンプ１３は、復水器６の内部空間６Ｓにおける温水ＨＷの水位が一定に維持されるように、復水器６から温水ＨＷを排出する。そのホットウェルポンプ１３が異常となり、復水器６からの温水ＨＷの排出が行われなくなると、冷却塔７から供給される冷却水ＣＷによって、復水器６の内部空間６Ｓにおける温水ＨＷの量が増大し、その結果、内部空間６Ｓにおいて温水ＨＷの水位が上昇する。本実施形態においては、復水器６に隣接するようにタービン３が配置される。タービン３の少なくとも一部は、復水器６の上方に配置される。そのため、内部空間６Ｓの温水ＨＷの水位が上昇すると、タービン３が温水ＨＷと接触したり、温水ＨＷに水没したりする可能性があり、タービン３に悪影響を及ぼす可能性がある。
【００５１】
本実施形態において、制御装置４０は、ホットウェルポンプ１３が異常であると判断したとき、冷却塔７から復水器６に冷却水ＣＷが供給されないように、調整装置２０を制御する。これにより、復水器６の内部空間６Ｓにおける温水ＨＷの水位の上昇が抑制される。
【００５２】
また、本実施形態において、制御装置４０は、ホットウェルポンプ１３が異常であると判断したとき、復水器６の内部空間６Ｓが開放されるように、弁１６を制御する。上述のように、本実施形態においては、内部空間６Ｓと内部空間７Ｓとの圧力差を利用して、冷却塔７から復水器６への冷却水ＣＷの供給が行われる。したがって、内部空間６Ｓを開放して、内部空間６Ｓの圧力を上昇させて、内部空間６Ｓと内部空間７Ｓとの圧力差を小さくすることによって、冷却塔７から復水器６への冷却水ＣＷの供給が抑制される。
【００５３】
すなわち、本実施形態において、制御装置４０は、制限部材２１による出口７Ｍの閉塞と、内部空間６Ｓと内部空間７Ｓとの圧力差の低減との両方を行って、冷却塔７から復水器６への冷却水ＣＷの供給を停止して、復水器６における温水ＨＷの水位の上昇を抑制する。
【００５４】
本実施形態においては、ホットウェルポンプ１３の異常が発生したとき、ホットウェルポンプ１３から制御装置４０に異常信号（エラー信号）が出力される。制御装置４０は、その異常信号に基づいて、ホットウェルポンプ１３に異常が生じたか否かを判断することができる。なお、ホットウェルポンプ１３が、温水ＨＷを吐出する吐出口と、その吐出口から吐出される温水ＨＷの量（単位時間当たりの吐出量）を検出可能なセンサとを備えてもよい。ホットウェルポンプ１３の異常が発生したとき、吐出口からの温水ＨＷの単位時間当たりの吐出量が低減したり、吐出口からの温水ＨＷの吐出が停止したりする。センサは、吐出口からの温水ＨＷの吐出量の低減、又は吐出口からの温水ＨＷの吐出の停止を検出可能である。センサの検出信号は、制御装置４０に出力される。制御装置４０は、センサの検出結果に基づいて、ホットウェルポンプ１３に異常が生じたか否かを判断することができる。
【００５５】
以上説明したように、本実施形態によれば、出口７Ｍからの冷却水ＣＷの流出を制限可能な制限部材２１を設けたので、ホットウェルポンプ１３に異常が発生して、復水器６から温水ＨＷが排出されない事態が発生した場合、制限部材２１を使って冷却塔７からの冷却水ＣＷの流出を制限して、冷却塔７から復水器６に供給される冷却水ＣＷの量を制限することができる。そのため、復水器６における温水ＨＷの水位の上昇を抑制することができる。
【００５６】
また、本実施形態において、制限部材２１は、ホットウェルポンプ１３の正常時において、上昇されて出口７Ｍを開け、ホットウェルポンプ１３の異常時において、下降されて出口７Ｍを閉じる。これにより、制限部材２１が大型の部材でも、ホットウェルポンプ１３の異常時において、重力作用を利用して、制限部材２１を落下させることで、制限部材２１で出口７Ｍを迅速に閉じることができる。なお、制限部材２１は、ホットウェルポンプ１３の正常時において、下降されて出口７Ｍを開け、ホットウェルポンプ１３の異常時において、上昇されて出口７Ｍを閉じてもよい。
【００５７】
また、本実施形態において、制御装置４０は、ホットウェルポンプ１３が異常であると判断したとき、復水器６の内部空間６Ｓが開放されるように、弁１６を制御する。これにより、復水器６と冷却器７との圧力差を利用して第１配管１１を介して冷却塔７から復水器６に冷却水ＣＷを供給する場合において、ホットウェルポンプ１３に異常が発生したとき、復水器６の内部空間６Ｓを開放して復水器６の内部空間６Ｓと冷却器７の内部空間７Ｓとの圧力差を低減することにより、冷却塔７から復水器６に冷却水ＣＷが供給されることを抑制できる。
【００５８】
なお、本実施形態において、制御装置４０は、制限部材２１による出口７Ｍの閉塞と、内部空間６Ｓと内部空間７Ｓとの圧力差の低減との両方を行って、冷却塔７から復水器６への冷却水ＣＷの供給を停止して、復水器６における温水ＨＷの水位の上昇を抑制することとした。ホットウェルポンプ１３が異常であるとき、制御装置４０は、制限部材２１による出口７Ｍの閉塞を行って、内部空間６Ｓの開放を行わなくてもよい。以下の実施形態においても同様である。
【００５９】
＜第２実施形態＞
第２実施形態について説明する。以下の説明において、上述の実施形態と同一又は同等の構成部分については同一の符号を付し、その説明を簡略又は省略する。
【００６０】
図５は、本実施形態に係る調整装置２０Ｂの一例を示す模式図である。図５は、ホットウェルポンプ１３が正常に作動しているときの調整装置２０Ｂを示す。図５に示すように、調整装置２０Ｂは、少なくとも一部が冷却塔７の出口７Ｍに面するように配置され、冷却水ＣＷが流通可能な第１開口３１Ｍを有する第１部材３１と、第１部材３１に対して移動可能に設けられ、第１開口３１を開閉する第２部材３２とを備えている。第１部材３１及び第２部材３２のそれぞれは、冷却塔７の内部空間７Ｓに配置される。
【００６１】
図６は、ホットウェルポンプ１３が正常に作動しているときの第１部材３１及び第２部材３２を示す斜視図である。図５及び図６に示すように、第１部材３１は、プレート状の部材であり、出口７Ｍが対向可能な表面３１１と、表面３１１の反対方向を向く裏面３１２とを有する。第１部材３１は、第１開口３１Ｍを複数有する。第１開口３１Ｍは、表面３１１と裏面３１２とを結ぶように形成される孔（貫通孔）である。冷却水ＣＷは、第１開口３１Ｍを通過可能である。表面３１１は、第１開口３１Ｍの周囲に配置される。裏面３１２は、第１開口３１Ｍの周囲に配置される。
【００６２】
第２部材３２は、プレート状の部材であり、第１部材３１の裏面３１２と対向可能な表面３２１と、表面３２１の反対方向を向く裏面３２２とを有する。第２部材３２は、孔を有しない。
【００６３】
第１部材３１は、出口７Ｍの周囲に配置される冷却塔７の内壁面７Ｗと対向するように配置される。第１部材３１は、内部空間７Ｓにおいて、内壁面７Ｗと間隙を介して対向するように配置される。第１部材３１の下端部は、冷却塔７の底面７Ｆに固定されており、移動しない。また、第１部材３１の上端部は、冷却水ＣＷの水面よりも上方に配置される。また、第１部材３１の側面は、冷却塔７の内面と接続される。本実施形態においては、第１部材３１の周囲において、冷却水ＣＷの流通は抑制されている。冷却水ＣＷは、第１開口３１Ｍを通過可能であり、第１部材３１と冷却塔７との間を通過不可能である。
【００６４】
第２部材３２は、内部空間７Ｓに配置され、内部空間７Ｓにおいて移動可能である。例えばウインチを含む移動装置２２Ｂは、第２部材３２を上下方向に移動（昇降）可能である。第２部材３２は、上下方向に移動することによって、第１開口３１Ｍを開閉する。
【００６５】
次に、本実施形態に係る調整装置２０Ｂの動作の一例について説明する。ホットウェルポンプ１３が正常に作動しているとき、第１開口３１Ｍが開くように、第２部材３２の位置が調整される。図５及び図６に示したように、移動装置２２Ｂによって第２部材３２が上昇することにより、第１開口３１Ｍが開く。これにより、冷却塔７の内部空間７Ｓの冷却水ＣＷの少なくとも一部は、第１開口３１Ｍを通過した後、出口７Ｍから流出し、第１配管１１を介して、復水器６に供給される。本実施形態において、裏面３１２側の冷却水ＣＷは、第１開口３１Ｍを通過した後、出口７Ｍから流出する。一方、表面３１１側の冷却水ＣＷ（内壁面７Ｗと表面３１１との間の冷却水ＣＷ）は、第１開口３１Ｍを通過することなく、出口７Ｍから流出する。
【００６６】
また、ホットウェルポンプ１３が正常に作動しているとき、復水器６の内部空間６Ｓが大気圧よりも低い圧力に調整された状態で、配管１５の流路が弁１６で閉じられる。
【００６７】
図７は、ホットウェルポンプ１３が異常であると判断されたときの調整装置２０Ｂの一例を示す模式図である。図８は、ホットウェルポンプ１３が異常であると判断されたときの第１部材３１及び第２部材３２の一例を示す斜視図である。図７及び図８に示すように、制御装置４０は、ホットウェルポンプ１３が異常であると判断したとき、冷却塔７から復水器６に冷却水ＣＷが供給されないように、調整装置２０Ｂを制御する。すなわち、制御装置４０は、ホットウェルポンプ１３が異常であると判断したとき、冷却塔７から復水器６に冷却水ＣＷが供給されないように、第２部材３２を下降して、第２部材３２で第１開口３１Ｍを閉じる。移動装置２２Ｂは、第２部材３２の表面３２１と第１部材３１の裏面３１２とが接触するように、第２部材３２を下降する。これにより、複数の第１開口３１Ｍのそれぞれが第２部材３２で閉じられる。
【００６８】
本実施形態においては、第１部材３１の外周面と、冷却塔７の内面とは接続されており、第１部材３１と冷却塔７との間における冷却水ＣＷの流通は抑制されている。したがって、第２部材３２で第１開口３１Ｍが閉じられることにより、内部空間７Ｓのうち、裏面３１２側の冷却水ＣＷは、表面３１１側の空間（表面３１１と内壁面７Ｗとの間の空間）に移動することができない。したがって、裏面３１２側の冷却水ＣＷは、出口７Ｍから流出しない。第２部材３２で第１開口３１Ｍが閉じられた後、内部空間７Ｓのうち、表面３１１側の冷却水ＣＷ（内壁面７Ｗと表面３１１との間の冷却水ＣＷ）は、出口７Ｍから流出する。第２部材３２で第１開口３１Ｍが閉じられた後、表面３１１側の冷却水ＣＷが無くなるまで、冷却水ＣＷは、出口７Ｍから流出する。
【００６９】
以上説明したように、本実施形態によれば、第１開口３１Ｍを有する第１部材３１と、第１部材３１に対して移動可能な第２部材３２とが設けられ、第１部材３１の外周面の周囲において冷却水ＣＷの流通が抑制された状態で、第２部材３２で第１開口３１Ｍを閉じることによって、出口７Ｍからの冷却水ＣＷの流出を抑制することができる。本実施形態において、第２部材３２は、第１部材３１の第１開口３１Ｍを閉じることによって、出口７Ｍからの冷却水ＣＷの流出を抑制する制限部材として機能する。本実施形態によれば、第２部材３２を移動するだけで、出口７Ｍからの冷却水ＣＷの流出を制限することができる。
【００７０】
なお、本実施形態においても、ホットウェルポンプ１３が異常であると判断されたとき、復水器６の内部空間６Ｓが開放（大気開放）されてもよいし、開放されなくてもよい。
【００７１】
＜第３実施形態＞
第３実施形態について説明する。以下の説明において、上述の実施形態と同一又は同等の構成部分については同一の符号を付し、その説明を簡略又は省略する。
【００７２】
図９は、本実施形態に係る調整装置２０Ｃの一例を示す模式図である。図９は、ホットウェルポンプ１３が正常に作動しているときの調整装置２０Ｃを示す。図９に示すように、調整装置２０Ｃは、少なくとも一部が冷却塔７の出口７Ｍに面するように配置され、冷却水ＣＷが流通可能な複数の第１開口３１Ｍを有する第１部材３１と、第１部材３１に対して移動可能に設けられ、第１開口３１を開閉する第２部材３２Ｃとを備えている。本実施形態において、第２部材３２Ｃは、冷却水ＣＷが流通可能な複数の第２開口３２Ｍを有する。第１部材３１及び第２部材３２Ｃのそれぞれは、冷却塔７の内部空間７Ｓに配置される。
【００７３】
図１０は、ホットウェルポンプ１３が正常に作動しているときの第１部材３１及び第２部材３２Ｃを示す斜視図である。図９及び図１０に示すように、第１部材３１は、第１開口３１Ｍの周囲に配置され、出口７Ｍが対向可能な表面３１１と、第１開口３１Ｍの周囲に配置され、表面３１１の反対方向を向く裏面３１２とを有する。第１開口３１Ｍは、表面３１１と裏面３１２とを結ぶように形成される孔（貫通孔）である。
【００７４】
第２部材３２Ｃは、第２開口３２Ｍの周囲に配置され、第１部材３１の裏面３１２と対向可能な表面３２１と、第２開口３２Ｍの周囲に配置され、表面３２１の反対方向を向く裏面３２２とを有する。第２開口３２Ｍは、表面３２１と裏面３２２とを結ぶように形成される孔（貫通孔）である。冷却水ＣＷは、第１開口３１Ｍ及び第２開口３２Ｍのそれぞれを通過可能である。
【００７５】
第１部材３１は、出口７Ｍの周囲に配置される冷却塔７の内壁面７Ｗと対向するように配置される。第１部材３１は、内部空間７Ｓにおいて、内壁面７Ｗと間隙を介して対向するように配置される。第１部材３１の下端部は、冷却塔７の底面７Ｆに固定されており、移動しない。また、第１部材３１の上端部は、冷却水ＣＷの水面よりも上方に配置される。また、第１部材３１の側面は、冷却塔７の内面と接続される。本実施形態においては、第１部材３１の周囲において、冷却水ＣＷの流通は抑制されている。冷却水ＣＷは、第１開口３１Ｍを通過可能であり、第１部材３１と冷却塔７との間を通過不可能である。
【００７６】
第２部材３２Ｃは、内部空間７Ｓに配置され、内部空間７Ｓにおいて移動可能である。例えばウインチを含む移動装置２２Ｃは、第２部材３２Ｃを上下方向に移動（昇降）可能である。第２部材３２Ｃは、上下方向に移動することによって、第１開口３１Ｍを開閉する。第１開口３１Ｍと第２開口３２Ｍとが一致するように、第１部材３１に対する第２部材３２Ｃの位置が調整されることによって、第２部材３２Ｃは、第１開口３１Ｍを開けることができる。第１開口３１Ｍに対して第２開口３２Ｍがずれるように、第１部材３１に対する第２部材３２Ｃの位置が調整されることによって、第２部材３２Ｃは、第１開口３１Ｍを閉じることができる。
【００７７】
次に、本実施形態に係る調整装置２０Ｃの動作の一例について説明する。ホットウェルポンプ１３が正常に作動しているとき、第１開口３１Ｍが開くように、第２部材３２Ｃの位置が調整される。図９及び図１０に示すように、本実施形態において、第１部材３１と第２部材３２Ｃとの相対位置が調整されることにより、複数の第１開口３１Ｍのそれぞれと、複数の第２開口３２Ｍのそれぞれとは、一致可能である。ホットウェルポンプ１３が正常に作動しているとき、移動装置２２Ｃによって、第１開口３１Ｍと第２開口３２Ｍとが一致するように、第１部材３１に対する第２部材３２Ｃの位置が調整される。これにより、第１開口３１Ｍが開き、冷却塔７の内部空間７Ｓの冷却水ＣＷの少なくとも一部は、第１開口３１Ｍを通過した後、出口７Ｍから流出し、第１配管１１を介して、復水器６に供給される。本実施形態において、裏面３２１側の冷却水ＣＷは、第２開口３２Ｍ及び第１開口３１Ｍを通過した後、出口７Ｍから流出する。一方、表面３１１側の冷却水ＣＷ（内壁面７Ｗと表面３１１との間の冷却水ＣＷ）は、第１開口３１Ｍを通過することなく、出口７Ｍから流出する。
【００７８】
また、ホットウェルポンプ１３が正常に作動しているとき、復水器６の内部空間６Ｓが大気圧よりも低い圧力に調整された状態で、配管１５の流路が弁１６で閉じられる。
【００７９】
図１１は、ホットウェルポンプ１３が異常であると判断されたときの調整装置２０Ｃの一例を示す模式図である。図１２は、ホットウェルポンプ１３が異常であると判断されたときの第１部材３１及び第２部材３２Ｃの一例を示す斜視図である。図１１及び図１２に示すように、制御装置４０は、ホットウェルポンプ１３が異常であると判断したとき、冷却塔７から復水器６に冷却水ＣＷが供給されないように、調整装置２０Ｃを制御する。本実施形態において、制御装置４０は、ホットウェルポンプ１３が異常であると判断したとき、冷却塔７から復水器６に冷却水ＣＷが供給されないように、第２部材３２Ｃを上昇して、第１開口３１Ｍに対して第２開口３２Ｍをずらして、第２部材３２Ｃの表面３２１で第１開口３１Ｍを閉じる。移動装置２２Ｃは、第２部材３２Ｃの表面３２１と第１部材３１の裏面３１２とが接触するように、第２部材３２Ｃを上昇する。これにより、複数の第１開口３１Ｍのそれぞれが第２部材３２Ｃの表面３２１で閉じられる。
【００８０】
また、本実施形態においては、第２部材３２Ｃが上昇されることによって、第１部材３１の裏面３１２で第２開口３２Ｍが閉じられる。
【００８１】
すなわち、本実施形態において、第１部材３１は、第１開口３１Ｍの周囲に配置される裏面３１２を有し、第２部材３２Ｃは、第２開口３２Ｍの周囲に配置される表面３２１を有している。ホットウェルポンプ１３が正常であると判断されたとき、第２部材３２Ｃは、第２開口３２Ｍが第１開口３１Ｍと一致する第１状態になるように移動される。一方、ホットウェルポンプ１３が異常であると判断されたとき、第２部材３２Ｃは、第２開口３２Ｍが第１部材３１の裏面３１２と対向し、第２部材３２Ｃの表面３２１が第１開口３１Ｍと対向する第２状態になるように移動される。第２状態において、第２開口３２Ｍが第１部材３１の裏面３１２と対向することによって、第２開口３２Ｍが裏面３１２で閉じられ、第２部材３２Ｃの表面３２１が第１開口３１Ｍと対向することによって、第１開口３１Ｍが表面３２１で閉じられる。第２部材３２Ｃが第１状態及び第２状態の一方から他方に変化するように昇降することによって、第１開口３１Ｍ及び第２開口３２Ｍのそれぞれが開閉される。
【００８２】
本実施形態においては、第１状態において、第２部材３２Ｃの下端部が床面７Ｆに接触し、第２状態において、第２部材３２の下端部から床面７Ｆから離れるように、移動装置２２Ｃによって第２部材３２Ｃが上昇する。
【００８３】
以上説明したように、本実施形態においても、第２部材３２Ｃを昇降させるだけで、第１開口３１Ｍを開閉して、出口７Ｍからの冷却水ＣＷの流出を制限することができる。本実施形態によれば、第１部材３１に第１開口３１Ｍを設けるとともに、制限部材として機能する第２部材３２Ｃに第２開口３２Ｍを設けたので、第１開口３１Ｍを開ける第１状態から、第１開口３１Ｍを閉じる第２状態に変化させるとき、第２部材３２Ｃの移動量（上昇量）を抑えることができる。第２部材３２Ｃの移動量（上昇量）を小さくすることができるので、第１開口３１Ｍが開いている第１状態から第１開口３１Ｍを閉じる第２状態への変化に要する時間を短くすることができる。また、移動装置２２Ｃの構造の簡略化、及び移動装置２２Ｃの出力の小型化を図ることができる。
【００８４】
＜第４実施形態＞
第４実施形態について説明する。以下の説明において、上述の実施形態と同一又は同等の構成部分については同一の符号を付し、その説明を簡略又は省略する。
【００８５】
図１３及び図１４のそれぞれは、本実施形態に係る調整装置２０Ｄの一例を示す模式図である。図１３は、ホットウェルポンプ１３が正常に作動しているときの調整装置２０Ｄを示す。図１４は、ホットウェルポンプ１３が異常であると判断されたときの調整装置２０Ｄを示す。本実施形態に係る調整装置２０Ｄは、上述の第３実施形態で説明した調整装置２０Ｃの変形例である。
【００８６】
調整装置２０Ｄは、冷却水ＣＷが流通可能な複数の第１開口３１Ｍを有する第１部材３１と、第１部材３１に対して移動可能に設けられ、冷却水ＣＷが流通可能な複数の第２開口３２Ｍを有する第２部材３２Ｄとを備えている。
【００８７】
ホットウェルポンプ１３が正常に作動しているとき、移動装置２２Ｄによって、第１開口３１Ｍと第２開口３２Ｍとが一致するように、第１部材３１に対する第２部材３２Ｄの位置が調整される。本実施形態においては、第２開口３２Ｍが第１開口３１Ｍと一致する第１状態において、第２部材３２Ｃの下端部は、床面７Ｆから離れている。
【００８８】
ホットウェルポンプ１３が異常であると判断されたとき、移動装置２２Ｄによって、第２開口３２Ｍが第１部材３１の裏面３１２と対向し、第２部材３２Ｄの表面３２１が第１開口３１Ｍと対向するように、第１部材３１に対する第２部材３２Ｄの位置が調整される。本実施形態においては、第２開口３２Ｍが第１部材３１の裏面３１２と対向し、第２部材３２Ｄの表面３２１が第１開口３１Ｍと対向する第２状態において、第２部材３２Ｄの下端部は、床面７Ｆに接触する。
【００８９】
すなわち、本実施形態においては、第１状態において、第２部材３２Ｄの下端部が床面７Ｆから離れる。第１状態の第２部材３２Ｄが下降することによって、第１状態から第２状態に変化する。第２状態において、第２部材３２Ｄの下端部が床面７Ｆに接触するように、移動装置２２Ｄによって第２部材３２Ｄが下降する。
【００９０】
以上説明したように、本実施形態においても、第２部材３２Ｄを昇降させるだけで、第１開口３１Ｍを開閉して、出口７Ｍからの冷却水ＣＷの流出を制限することができる。本実施形態によれば、第１開口３１Ｍを開ける第１状態から、第１開口３１Ｍを閉じる第２状態に変化させるとき、第２部材３２Ｄを下降するようにしたので、第２部材３２Ｄが大型の部材でも、ホットウェルポンプ１３の異常時において、重力作用を利用して、第２部材３２Ｄを落下させることで、出口７Ｍからの冷却水ＣＷの流出を迅速に制限することができる。
【００９１】
＜第５実施形態＞
第５実施形態について説明する。以下の説明において、上述の実施形態と同一又は同等の構成部分については同一の符号を付し、その説明を簡略又は省略する。
【００９２】
図１５及び図１６のそれぞれは、本実施形態に係る調整装置２０Ｅの一例を示す模式図である。図１５は、ホットウェルポンプ１３が正常に作動しているときの調整装置２０Ｅを示す。図１６は、ホットウェルポンプ１３が異常であると判断されたときの調整装置２０Ｅを示す。本実施形態に係る調整装置２０Ｅは、上述の第２実施形態で説明した調整装置２０Ｂの変形例である。
【００９３】
図１５及び図１６に示すように、調整装置２０Ｅは、冷却水ＣＷが流通可能な複数の第１開口３１Ｍを有する第１部材３１と、第１部材３１に対して移動可能に設けられ、第１開口３１Ｍを開閉する第２部材３２とを備えている。
【００９４】
第１部材３１は、出口７Ｍの周囲に配置される冷却塔７の内壁面７Ｗと間隙を介して対向するように配置される。本実施形態において、第１部材３１の上端部は、冷却水ＣＷの水面よりも低い位置に配置され、第１部材３１の下端部は、冷却塔７の床面７Ｆに接続されている。
【００９５】
本実施形態において、調整装置２０Ｅは、出口７Ｍと第１部材３１との間において、出口７Ｍよりも上方で且つ冷却水ＣＷの水面よりも低い位置に配置される第３部材３３を備えている。第３部材３３は、内壁面７Ｗと第１部材３１との間の空間（表面３１１側の空間）３４の上端の開口を塞ぐように配置される。第３部材３３は、冷却塔７の冷却水ＣＷに浸かっている。第３部材３３の上面側の冷却水ＣＷは、第３部材３３の下面側の空間（内壁面７Ｗと第１部材３１と第３部材３３との間の空間）３４に流入しない。なお、空間３４は、内部空間７Ｓの一部の空間である。
【００９６】
図１５に示すように、第２部材３２が上昇することによって、第１開口３１Ｍが開く。これにより、内部空間７Ｓのうち、空間３４の外側の冷却水ＣＷは、第１開口３１Ｍ及び空間３４を介して、出口７Ｍから流出する。また、空間３４の冷却水ＣＷは、出口７Ｍから流出する。
【００９７】
図１６に示すように、第２部材３２が下降することによって、第１開口３１Ｍが閉じられる。これにより、内部空間７Ｓのうち、空間３４の外側の冷却水ＣＷは、空間３４に流入できず、出口７Ｍから流出しない。
【００９８】
第１開口３１Ｍが閉じられることによって、空間３４は、実質的に閉空間となる。第２部材３２で第１開口３１Ｍが閉じられた後、内部空間７Ｓのうち、空間３４の冷却水ＣＷは、出口７Ｍから流出する。第２部材３２で第１開口３１Ｍが閉じられた後、空間３４の冷却水ＣＷが無くなるまで、冷却水ＣＷは、出口７Ｍから流出する。
【００９９】
以上説明したように、本実施形態によれば、第３部材３３を設けたので、出口７Ｍが面する空間３４は、実質的に閉空間となる。そのため、第２部材３２で第１開口３１Ｍを閉じてから、空間３４の冷却水ＣＷが出口７Ｍから全て流出するまでの時間を短縮することができる。
【０１００】
なお、本実施形態においては、第２実施形態で説明した構成要素に第３部材３３を付加することとした。第３実施形態で説明した構成要素、及び第４実施形態で説明した構成要素に、第３部材３３を付加してもよい。
【０１０１】
＜第６実施形態＞
第６実施形態について説明する。以下の説明において、上述の実施形態と同一又は同等の構成部分については同一の符号を付し、その説明を簡略又は省略する。
【０１０２】
図１７は、本実施形態に係る地熱発電システム１Ｆの一例を示す模式図である。地熱発電システム１Ｆは、第１配管１１に配置され、冷却塔７から復水器６に供給される冷却水ＣＷの供給量を調整可能な調整装置２０Ｆを備えている。本実施形態において、調整装置２０Ｆは、第１配管１１の流路を開閉可能なバルブ機構を含む。調整装置２０Ｆは、制御装置４０により制御される。
【０１０３】
制御装置４０は、ホットウェルポンプ１３が異常であると判断したとき、冷却塔７から復水器６に冷却水ＣＷが供給されないように、調整装置２０Ｆを制御する。
【０１０４】
以上説明したように、冷却塔７から復水器６に供給される冷却水ＣＷの供給量を調整可能な調整装置２０Ｆを、第１配管１１に設けてもよい。
【０１０５】
＜第７実施形態＞
第７実施形態について説明する。以下の説明において、上述の実施形態と同一又は同等の構成部分については同一の符号を付し、その説明を簡略又は省略する。
【０１０６】
図１８は、本実施形態に係る地熱発電システム１Ｇの一例を示す模式図である。地熱発電システム１Ｇは、ホットウェルポンプ１３の異常を検出する検出装置３６を備えている。本実施形態において、検出装置３６は、第２配管１２に配置される。検出装置３６の検出結果は、制御装置４０に出力される。制御装置４０は、検出装置３６の検出結果に基いて、ホットウェルポンプ１３が異常であるか否かを判断してもよい。
【０１０７】
本実施形態において、検出装置３６は、ホットウェルポンプ１３から第２配管１２に吐出される温水ＨＷの量（単位時間当たりの吐出量）を検出可能である。ホットウェルポンプ１３の異常が発生したとき、ホットウェルポンプ１３から吐出される単位時間当たりの温水ＨＷの吐出量が低減したり、温水ＨＷの吐出が停止したりする。検出装置３６は、ホットウェルポンプ１３からの温水ＨＷの吐出量の低減、又は温水ＨＷの吐出の停止を検出可能である。制御装置４０は、検出装置３６の検出結果に基づいて、ホットウェルポンプ１３に異常が生じたか否かを判断することができる。本実施形態によれば、制御装置４０は、検出装置３６の検出結果に基づいて、ホットウェルポンプ１３に異常が生じたか否かを適切に判断することができる。
【０１０８】
なお、上述の各実施形態においては、地熱発電システム１の制御装置４０が、調整装置（２０など）を制御することとした。冷却塔７が制御装置を備え、その冷却塔７の制御装置に、ホットウェルポンプ１３からの異常信号が出力されたり、検出装置３６の検出結果が出力されたりしてもよい。その冷却塔７の制御装置が、調整装置（２０など）を制御してもよい。また、図１７を参照して説明した実施形態のように、調整装置２０が冷却塔７に設けられていない場合、冷却塔７の制御装置が、その調整装置２０Ｆに制御信号を出力してもよい。
【０１０９】
なお、上述の各実施形態においては、ホットウェルポンプ１３が異常であると判断されたとき、調整装置（２０など）は、冷却塔７から復水器６に対する冷却水ＣＷの供給を完全に停止する（冷却塔７からの冷却水ＣＷの排出量を零にする）こととした。調整装置（２０など）は、ホットウェルポンプ１３が異常であると判断されたとき、ホットウェルポンプ１３が正常であるときの冷却塔７からの冷却水ＣＷの排出量よりも少ない排出量で冷却水ＣＷを排出してもよい。換言すれば、調整装置（２０など）は、ホットウェルポンプ１３が異常であると判断した場合においても、冷却塔７から復水器６に対する冷却水ＣＷの供給を完全に停止せず、ホットウェルポンプ１３が正常であるときの冷却水ＣＷの供給量よりも少ない供給量で、冷却水ＣＷを供給するようにしてもよい。
【０１１０】
なお、上述の実施形態が適宜組み合わされてもよい。例えば、地熱発電システムが、冷却塔７と、冷却塔７の出口７Ｍと接続される第１配管１１と、第１配管１１を介して冷却塔７から供給された冷却水と、タービン３から供給された蒸気との熱交換を行う復水器６と、復水器６と冷却塔７とを接続する第２配管１２と、第２配管１２に配置され、復水器６で生成された温水を冷却塔７に送るためのホットウェルポンプ１３と、冷却塔７から復水器６に供給される冷却水の供給量を調整可能な調整装置２０Ｆと、ホットウェルポンプ１３が異常であると判断したとき、出口７Ｍからの冷却水の流出が制限されるように制限部材２１を制御する制御装置４０と、を備えてもよい。
【０１１１】
調整装置２０Ｆにより、冷却塔７から復水器６に供給される冷却水の供給量を調整することができる。ホットウェルポンプ１３に異常が発生して、復水器６から冷却塔７に温水が供給されない事態が発生した場合、制限部材２１を使って冷却水の流出を制限することによって、復水器６に供給される冷却水の量を制限することができる。もちろん、制限部材２１を使って冷却水の流出を制限するとともに、調整装置２０Ｆを使って冷却塔７から復水器６への冷却水の供給を制限してもよい。
【符号の説明】
【０１１２】
１  地熱発電システム
３  タービン
４  気水分離器
５  発電機
６  復水器
６Ｓ  内部空間
７  冷却塔
７Ｍ  出口
７Ｓ  内部空間
１１  第１配管
１２  第２配管
１３  ホットウェルポンプ
１５  配管
１６  弁
２０  調整装置
２１  制限部材
２２  移動装置
３１  第１部材
３１Ｍ  第１開口
３２  第２部材
３２Ｍ  第２開口
３３  第３部材
３４  空間
３６  検出装置
３１１  表面
３１２  裏面
３２１  表面
３２２  裏面
【図１】
2015108476.tif 000003
【図２】
2015108476.tif 000004
【図３】
2015108476.tif 000005
【図４】
2015108476.tif 000006
【図５】
2015108476.tif 000007
【図６】
2015108476.tif 000008
【図７】
2015108476.tif 000009
【図８】
2015108476.tif 000010
【図９】
2015108476.tif 000011
【図１０】
2015108476.tif 000012
【図１１】
2015108476.tif 000013
【図１２】
2015108476.tif 000014
【図１３】
2015108476.tif 000015
【図１４】
2015108476.tif 000016
【図１５】
2015108476.tif 000017
【図１６】
2015108476.tif 000018
【図１７】
2015108476.tif 000019
【図１８】
2015108476.tif 000020